(57)【要約】【課題】安全装置が大きな音量で警報音を発している状況下においてもスピーカを通して受話信号を聞くことができるようにする。【解決手段】安全装置の警報音の周波数において十分な減衰量が得られるとともに音声の主な周波数帯域を通過させるようなフィルタ特性を有する低域通過フィルタ１１が第１の増幅器７と送話路損失挿入部４の間の送話路に挿入されている。故に、安全装置が警報音を発した場合においても、低域通過フィルタ１１により、マイクロホン１で集音した送話信号に含まれる警報音の周波数成分が減衰するため、挿入損失量制御部６が通話状態を受話状態と推定しやすくなる。その結果、安全装置が大きな音量で警報音を発している状況下においてもスピーカ２を通して受話信号を聞くことができる。【選択図】        図１
2006013617.tif 000002
【特許請求の範囲】
【請求項１】
集合住宅の各住戸内に設置され、住戸外に設置されるドアホン子器、集合住宅の共同玄関に設置されるロビーインターホン、集合住宅の管理室などに設置される警報監視盤との間で通話を行う通話機能と、住戸内に設置されて住人の安全が脅かされた場合に自動又は手動で異常発生を知らせる報知信号を出力する１乃至複数種類の安全装置と接続され、何れかの安全装置から報知信号を受け取ると少なくとも異常発生並びに当該異常の種類に応じた警報音又は警報メッセージを発生させるとともに警報監視盤に対して異常の発生及び種類を報知するセキュリティ機能とを備えた住宅情報盤において、マイクロホン並びにスピーカと、マイクロホンで集音された送話信号をドアホン子器やロビーインターホン若しくは警報監視盤に伝送するとともにドアホン子器やロビーインターホン若しくは警報監視盤から伝送されてくる受話信号をスピーカに送り出す伝送処理手段と、マイクロホンから伝送処理手段に至る送話路に損失を挿入する送話路損失挿入手段と、伝送処理手段からスピーカに至る受話路に損失を挿入する受話路損失挿入手段と、送話信号と受話信号を観測することによって通話状態を推定し、該推定結果に基づいて送話路損失挿入手段並びに受話路損失挿入手段による挿入損失量を可変制御する挿入損失量制御手段と、マイクロホンと送話路損失挿入手段の間に挿入される低域通過フィルタとを備え、該低域通過フィルタは、１乃至複数種類の安全装置のうちで異常発生時に自ら警報音を発する安全装置の当該警報音の周波数において十分な減衰量が得られるとともに音声の主な周波数帯域を通過させる第１のフィルタ特性を有することを特徴とする住宅情報盤。
【請求項２】
請求項１の発明における前記低域通過フィルタを、第１の増幅手段と送話路損失挿入手段の間に挿入する代わりに、前記挿入損失量制御手段が送話信号を観測するために送話路から分岐された分岐路に挿入したことを特徴とする住宅情報盤。
【請求項３】
前記低域通過フィルタは、前記警報音の周波数及び音声の主な周波数帯域の双方を通過させる第２のフィルタ特性と前記第１のフィルタ特性とが択一的に設定されるものであって、１乃至複数種類の安全装置のうちで異常発生時に自ら警報音を発する安全装置が報知信号を出力したことを検出する警報状態検出手段と、警報状態検出手段が前記安全装置の報知信号出力を検出したときに前記低域通過フィルタのフィルタ特性を第２のフィルタ特性から第１のフィルタ特性に変更するフィルタ特性変更手段とを備えたことを特徴とする請求項１又は２記載の住宅情報盤。
【発明の詳細な説明】
【技術分野】
【０００１】
本発明は、住宅情報盤に関するものである。
【背景技術】
【０００２】
近年、マンションなどの集合住宅では住宅情報盤システムが普及してきている。このような住宅情報盤システムは、集合住宅の共同玄関に設置されるロビーインターホンと、管理室や防災監視室などに設置される警報監視盤（あるいは統合盤）と、各住戸内に設置される住宅情報盤と、各住戸の戸外（玄関先）に設置されるドアホン子器とで構成される。そして、住宅情報盤は、ロビーインターホンやドアホン子器あるいは警報監視盤との間の通話を行う通話機能と、住戸内に設置された火災感知器やガス漏れ警報器などの安全装置と信号線を介して接続され、何れかの安全装置から異常発生を知らせる報知信号を受け取ると少なくとも異常発生並びに当該異常の種類に応じた警報音又は警報メッセージを発生させるとともに警報監視盤に対して異常の発生及び種類を報知するセキュリティ機能とを備えている（例えば、特許文献１参照）。また、ハンドセットの代わりにマイクロホンとスピーカを利用して拡声通話（ハンズフリー通話）を行う拡声通話機能を備えた住宅情報盤も提供されている。
【０００３】
ここで、拡声通話機能を備えた住宅情報盤では、マイクロホンとスピーカの音響結合により形成される音響側の帰還経路や、相手側の通話端末との間で形成される回線側の帰還経路によって任意の周波数成分における一巡利得が１倍を超えるような閉ループが通話系に形成されると当該周波数にてハウリングが生じてしまう場合があるので、かかるハウリングの発生を防止するため、通話状態（送話状態、受話状態）を常時推定し、その推定結果に基づいて適切な配分で送話側及び受話側の信号経路に対して損失を挿入する音声スイッチを備えている。
【特許文献１】特開平１１−１９５１８３号公報
【発明の開示】
【発明が解決しようとする課題】
【０００４】
ところで、住宅情報盤に接続される安全装置のなかには異常発生時に住宅情報盤に報知信号を出力するだけでなく自ら警報音を発するものがある。この種の安全装置が発する警報音の音量は一般に人の話し声などに比べて非常に大きく、安全装置と住宅情報盤の距離が比較的に近い場合、住宅情報盤のマイクロホン近傍における音量が９０デシベル程度になることもある。そのため、送話信号と受話信号の信号レベルを比較することで通話状態を推定している音声スイッチにおいては、安全装置の発する警報音のレベルが非常に大きいため、報知信号を受信した警報監視盤から通話信号（受話信号）が伝送されてきても送話状態から受話状態に切り換えられず、受話信号がスピーカから聞こえなくなる現象（送話側への継続的な片倒れ）が発生する虞がある。火災発生時やガス漏れ時には警報監視盤からの通話指示が住戸へ確実に伝えられるべきであり、住戸（住宅情報盤）への受話信号がより確実に届けられる必要がある。
【０００５】
本発明は上記事情に鑑みて為されたものであり、その目的は、安全装置が大きな音量で警報音を発している状況下においてもスピーカを通して受話信号を聞くことができる住宅情報盤を提供することにある。
【課題を解決するための手段】
【０００６】
請求項１の発明は、上記目的を達成するために、集合住宅の各住戸内に設置され、住戸外に設置されるドアホン子器、集合住宅の共同玄関に設置されるロビーインターホン、集合住宅の管理室などに設置される警報監視盤との間で通話を行う通話機能と、住戸内に設置されて住人の安全が脅かされた場合に自動又は手動で異常発生を知らせる報知信号を出力する１乃至複数種類の安全装置と接続され、何れかの安全装置から報知信号を受け取ると少なくとも異常発生並びに当該異常の種類に応じた警報音又は警報メッセージを発生させるとともに警報監視盤に対して異常の発生及び種類を報知するセキュリティ機能とを備えた住宅情報盤において、マイクロホン並びにスピーカと、マイクロホンで集音された送話信号をドアホン子器やロビーインターホン若しくは警報監視盤に伝送するとともにドアホン子器やロビーインターホン若しくは警報監視盤から伝送されてくる受話信号をスピーカに送り出す伝送処理手段と、マイクロホンから伝送処理手段に至る送話路に損失を挿入する送話路損失挿入手段と、伝送処理手段からスピーカに至る受話路に損失を挿入する受話路損失挿入手段と、送話信号と受話信号を観測することによって通話状態を推定し、該推定結果に基づいて送話路損失挿入手段並びに受話路損失挿入手段による挿入損失量を可変制御する挿入損失量制御手段と、マイクロホンと送話路損失挿入手段の間に挿入される低域通過フィルタとを備え、該低域通過フィルタは、１乃至複数種類の安全装置のうちで異常発生時に自ら警報音を発する安全装置の当該警報音の周波数において十分な減衰量が得られるとともに音声の主な周波数帯域を通過させる第１のフィルタ特性を有することを特徴とする。
【０００７】
請求項２の発明は、上記目的を達成するために、請求項１の発明における前記低域通過フィルタを、第１の増幅手段と送話路損失挿入手段の間に挿入する代わりに、前記挿入損失量制御手段が送話信号を観測するために送話路から分岐された分岐路に挿入したことを特徴とする。
【０００８】
請求項３の発明は、請求項１又は２の発明において、前記低域通過フィルタは、前記警報音の周波数及び音声の主な周波数帯域の双方を通過させる第２のフィルタ特性と前記第１のフィルタ特性とが択一的に設定されるものであって、１乃至複数種類の安全装置のうちで異常発生時に自ら警報音を発する安全装置が報知信号を出力したことを検出する警報状態検出手段と、警報状態検出手段が前記安全装置の報知信号出力を検出したときに前記低域通過フィルタのフィルタ特性を第２のフィルタ特性から第１のフィルタ特性に変更するフィルタ特性変更手段とを備えたことを特徴とする。
【発明の効果】
【０００９】
請求項１の発明によれば、異常発生時に自ら警報音を発する安全装置が当該警報音を発した場合においても、低域通過フィルタにより、マイクロホンで集音した送話信号に含まれる警報音の周波数成分が減衰されるとともに音声の主な周波数帯域成分が通過させられるため、挿入損失量制御手段が通話状態を受話状態と推定しやすくなり、その結果、安全装置が大きな音量で警報音を発している状況下においてもスピーカを通して受話信号を聞くことができるという効果がある。
【００１０】
請求項２の発明によれば、異常発生時に自ら警報音を発する安全装置が当該警報音を発した場合においても、低域通過フィルタにより、挿入損失量制御手段が観測している送話信号に含まれる警報音の周波数成分が減衰するため、挿入損失量制御手段が通話状態を受話状態と推定しやすくなり、その結果、安全装置が大きな音量で警報音を発している状況下においてもスピーカを通して受話信号を聞くことができるという効果がある。
【００１１】
請求項３の発明によれば、安全装置が警報音を発していない正常時においては低域通過フィルタが音声の主な周波数帯域だけでなく警報音の周波数成分も通過させる第２のフィルタ特性に設定され、安全装置が報知信号を出力したことを警報状態検出手段で検出した場合にフィルタ特性変更手段により低域通過フィルタのフィルタ特性が第２のフィルタ特性から第１のフィルタ特性に変更されて警報音の周波数成分のみが減衰させられるから、請求項１又は２の発明と同様に安全装置が大きな音量で警報音を発している状況下においてもスピーカを通して受話信号を聞くことができるだけでなく、正常時においては異常発生時に比べて送話信号の周波数帯域を拡大して音声を明瞭に聞くことができたり、あるいは、挿入損失量制御手段における通話状態の推定精度が異常発生時に比べて正常時に向上するという効果がある。
【発明を実施するための最良の形態】
【００１２】
（実施形態１）
本実施形態の住宅情報盤Ａを用いた住宅情報盤システムのシステム構成例を図３に示す。本システムは、集合住宅の共同玄関に設置されるロビーインターホン６０と、集合住宅の管理室等に設置される警報監視盤８０と、各住戸内に設置される住宅情報盤Ａと、各住戸の外（玄関先）に設置されるドアホン子器５０とを備える。そして、警報監視盤８０と各住戸の住宅情報盤Ａが、通話音声や警報音等の音声信号とロビーインターホン６０が具備するテレビカメラで撮像した映像信号を多重伝送する通信線Ｌ１、呼出や警報等の制御信号を多重伝送する制御線Ｌ２によって接続される。尚、本システムでは映像信号を音声信号と多重伝送する構成を例示するが、映像信号を独立した映像伝送線で伝送する構成としても良い。
【００１３】
ロビーインターホン６０は、ＣＰＵを主構成要素とする信号処理部（図示せず）と、テンキーや呼出釦等を具備する操作部６１と、表示ランプや液晶ディスプレイを具備する表示部６２と、制御線Ｌ２を介して警報監視盤８０との間で制御信号を送受信する伝送送受信部（図示せず）と、マイクロホン６３並びにスピーカ６４と、マイクロホン６３並びにスピーカ６４を用いて住宅情報盤Ａや警報監視盤８０との間で拡声通話を行うための通話制御部（図示せず）と、ＣＣＤのような撮像素子を有するテレビカメラ（図示せず）と、テレビカメラの出力を信号処理して映像信号を出力する映像信号処理部（図示せず）と、通話制御部から出力される音声信号と映像信号処理部から出力される映像信号を多重化して通信線Ｌ１に送出するとともに通信線Ｌ１を介して送られてくる音声信号を通話制御部に出力する入出力処理部（図示せず）とを備えている。
【００１４】
一方、警報監視盤８０は、ＣＰＵを主構成要素とする信号処理部（図示せず）と、テンキーや呼出釦等を具備する操作部８１と、表示ランプや液晶ディスプレイを具備する表示部８２と、制御線Ｌ２を介して各住宅情報盤Ａやロビーインターホン６０との間で制御信号を送受信する伝送送受信部（図示せず）と、送受話器（ハンドセット）８３と、送受話器８３を用いて住宅情報盤Ａやロビーインターホン６０との間で同時通話を行うための通話制御部（図示せず）とを備えている。
【００１５】
またドアホン子器５０は、マイクロホン並びにスピーカを具備し通話線Ｌ３により住宅情報盤Ａと接続され、呼出釦５７ａが操作されたときに通話線Ｌ３の電圧レベルを変化させることで住宅情報盤Ａに対して呼出信号を送出する機能を有している。
【００１６】
住宅情報盤Ａは、ハウジングの前面上部にＣＲＴや液晶ディスプレイからなるモニタ部４０が設けられるとともに、ハウジングの前面下部には応答釦４１が設けられる。通信線Ｌ１を介してロビーインターホン６０から送られてくる映像がモニタ部４０に表示され、ドアホン子器５０やロビーインターホン６０あるいは警報監視盤８０からの呼出に対して応答釦４１が操作されると住宅情報盤Ａの通話機能が起動し、ドアホン子器５０やロビーインターホン６０あるいは警報監視盤８０との間で拡声通話が行われる。また住宅情報盤Ａは種々の安全装置、例えば火災感知器Ｓ１、ガス／ＣＯ検知器Ｓ２、防犯外部セットスイッチＳＷ、防犯スイッチＳＷ１、コールスイッチＳＷ２、非常スイッチＳＷ３等と接続され、何れかの安全装置から報知信号を受け取った場合、異常発生並びに発生した異常の種類（火災、ガス漏れ、一酸化炭素濃度の上昇、緊急呼出など）に応じた警報音又は警報メッセージを発生させるとともに警報監視盤８０に対して制御線Ｌ２を介して異常の発生及び種類を報知する。
【００１７】
一方、警報監視盤８０は、いずれかの住宅情報盤Ａから制御線Ｌ２を介して報知信号を受信すると、報知信号に付加されたアドレスを識別して当該報知信号を出力した住宅情報盤Ａを特定し、その住宅情報盤Ａが設置されている住戸番号を表示部８３に表示すると同時に警報音を出力することによって管理人等に異常発生を知らせる。そして、異常発生を知った管理人等が警報監視盤８０のハンドセットをオフフックすれば、報知信号を出力した住宅情報盤Ａとの間に通信線Ｌ１を介した通話路が強制的に形成され、異常が発生した住戸の住人と通話して異常の状況や安否の確認を行うことができる。
【００１８】
図１は本実施形態の住宅情報盤Ａの要部構成を示すブロック図である。図１に示すように本実施形態の住宅情報盤Ａは、マイクロホン１並びにスピーカ２と、マイクロホン１で集音された送話信号をドアホン子器５０やロビーインターホン６０若しくは警報監視盤８０に伝送するとともにドアホン子器５０やロビーインターホン６０若しくは警報監視盤８０から伝送されてくる受話信号をスピーカ２に送り出す伝送処理部３と、マイクロホン１から伝送処理部３に至る送話路に損失を挿入する送話路損失挿入部４と、伝送処理部３からスピーカ２に至る受話路に損失を挿入する受話路損失挿入部５と、送話信号と受話信号を観測することによって通話状態を推定し、その推定結果に基づいて送話路損失挿入部４並びに受話路損失挿入部５による挿入損失量を可変制御する挿入損失量制御部６と、マイクロホン１と送話損失挿入部４の間の送話路に設けられて送話信号を増幅する第１の増幅器７と、受話路損失挿入部４とスピーカ２の間の受話路に設けられて受話信号を増幅する第２の増幅器８と、送話路損失挿入部４と伝送処理部３の間の送話路に設けられて送話信号を増幅する第３の増幅器９と、伝送処理部３と受話路損失挿入部５の間の受話路に設けられて受話信号を増幅する第４の増幅器１０と、第１の増幅器７と送話損失挿入部４の間に挿入される低域通過フィルタ（ＬＰＦ）１１とを備えている。ここで、送話路損失挿入部４と受話路損失挿入部５と挿入損失量制御部６とで音声スイッチＶＳＷが構成されている。尚、音声スイッチＶＳＷはアナログの集積回路で構成することも可能であるし、ＤＳＰ（Digital Signal Processor）などのハードウェアを音声スイッチ用のソフトウェア（プログラム）で制御することによっても実現可能である。
【００１９】
低域通過フィルタ１１は、図２の実線イで示すようなフィルタ特性（以下、「第１のフィルタ特性」と呼ぶ）を有するものである。第１のフィルタ特性とは、図２に示すように１乃至複数種類の安全装置のうちで異常発生時に自ら警報音を発する安全装置の当該警報音の周波数（例えば、約３ｋＨｚ）において十分な減衰量が得られるとともに音声の主な周波数帯域（ＤＣ〜約２ｋＨｚ）を通過させるようなフィルタ特性である。
【００２０】
挿入損失量制御部６は、第１の増幅器７で増幅された送話信号と第４の増幅器１０で増幅された受話信号の信号レベルを比較し、例えば送話信号の信号レベルが受話信号の信号レベルよりも大きければ送話状態と推定して送話路損失挿入部４における挿入損失量を減らすと同時に受話路損失挿入部５における挿入損失量を増やし、反対に受話信号の信号レベルが送話信号の信号レベルよりも大きければ受話状態と推定して受話路損失挿入部５における挿入損失量を減らすと同時に送話路損失挿入部４における挿入損失量を増やすことで通話状態を切り換えている。
【００２１】
ここで、住宅情報盤Ａはドアホン子器５０やロビーインターホン６０あるいは警報監視盤８０からの呼出信号を検出するとともにスピーカ２から呼出音を出力させる呼出機能や、制御線Ｌ２を介して警報監視盤８０との間で制御信号を授受する通信機能、安全装置が出力する報知信号を監視するとともに報知信号を受け取ったときに警報音等の出力や警報監視盤８０への通報などを行うセキュリティ機能を有しているが、これらの機能はＣＰＵを主構成要素とする制御部（図示せず）によって実現されている。
【００２２】
而して、異常発生時に自ら警報音を発する安全装置（例えば、火災感知器Ｓ１及びガス／ＣＯ検知器Ｓ２）が住宅情報盤Ａに接続されている場合、従来技術で説明したように、かかる安全装置が大きな音量で警報音を発している状況下においては、その警報音が住宅情報盤Ａのマイクロホン１で集音されるために送話信号の信号レベルが非常に大きくなり、音声スイッチＶＳＷの挿入損失量制御部６が送話状態と推定してしまうため、警報監視盤８０から伝送されてくる受話信号が受話路損失挿入部５の挿入損失により減衰されてスピーカ２から聞こえない虞がある。
【００２３】
しかしながら本実施形態では、前記安全装置が警報音を発した場合においても、低域通過フィルタ１１により、マイクロホン１で集音した送話信号に含まれる警報音の周波数成分が減衰するため、挿入損失量制御部６が通話状態を受話状態と推定しやすくなる。その結果、安全装置が大きな音量で警報音を発している状況下においてもスピーカ２を通して受話信号を聞くことができるものである。
【００２４】
（実施形態２）
図４は本実施形態の住宅情報盤Ａの要部構成を示すブロック図である。但し、基本的な構成は実施形態１と共通であるから、共通の構成要素には同一の符号を付して説明を省略する。
【００２５】
本実施形態の住宅情報盤Ａは、第１の増幅器７と送話損失挿入部４の間の送話路に低域通過フィルタ１１を挿入する代わりに、挿入損失量制御部６が送話信号を観測するために送話路から分岐された分岐路に低域通過フィルタ１１を挿入した点に特徴がある。
【００２６】
而して本実施形態によれば、安全装置が警報音を発した場合においても分岐路に挿入された低域通過フィルタ１１によって送話信号に含まれる警報音の周波数成分が減衰するため、実施形態１と同様に挿入損失量制御部６が通話状態を受話状態と推定しやすくなり、その結果、安全装置が大きな音量で警報音を発している状況下においてもスピーカ２を通して受話信号を聞くことができる。しかも、低域通過フィルタ１１は分岐路の送話信号のみをろ波して第３の増幅器９に送られる送話信号をろ波しないから、通話音声に対してこもり感などを与えず、音声の明瞭感を損なわないという利点がある。
【００２７】
（実施形態３）
図５は本実施形態の住宅情報盤Ａの要部構成を示すブロック図である。但し、基本的な構成は実施形態１と共通であるから、共通の構成要素には同一の符号を付して説明を省略する。
【００２８】
本実施形態の住宅情報盤Ａは、図６に示すように警報音の周波数及び音声の主な周波数帯域の双方を通過させる第２のフィルタ特性（破線ロ）と第１のフィルタ特性（実線イ）とが択一的に設定可能な低域通過フィルタ１１と、異常発生時に自ら警報音を発する安全装置が報知信号を出力したことを検出する警報状態検出手段１２と、警報状態検出手段１２が安全装置の報知信号出力を検出したときに低域通過フィルタ１１のフィルタ特性を第２のフィルタ特性から第１のフィルタ特性に変更するフィルタ特性変更手段１３とを備えた点に特徴がある。但し、警報状態検出手段１２並びにフィルタ特性変更手段１３は、住宅情報盤Ａの通信機能やセキュリティ機能を実現する制御部（図示せず）によって実現される。
【００２９】
而して本実施形態によれば、異常発生時に自ら警報音を発する安全装置（例えば、火災感知器Ｓ１及びガス／ＣＯ検知器Ｓ２）が報知信号を出力したことを警報状態検出手段１２が検出すると、警報状態検出手段１２からフィルタ特性変更手段１３に対して検出信号が出力され、この検出信号を受け取ったフィルタ特性変更手段１３が低域通過フィルタ１１のフィルタ特性を第２の特性から第１の特性に変更させるので、実施形態１と同様に挿入損失量制御部６が通話状態を受話状態と推定しやすくなり、その結果、安全装置が大きな音量で警報音を発している状況下においてもスピーカ２を通して受話信号を聞くことができる。しかも前記安全装置が警報音を発していない正常時においては低域通過フィルタ１１のフィルタ特性が第２の特性に設定されているため、異常発生時に比べて送話信号の周波数帯域を拡大して音声を明瞭に聞くことができるという利点がある。
【００３０】
尚、図７に示すように実施形態２の構成に本実施形態における低域通過フィルタ１１、警報状態検出手段１２並びにフィルタ特性変更手段１３を適用しても構わない。この場合、実施形態２と同様に安全装置が大きな音量で警報音を発している状況下においてもスピーカ２を通して受話信号を聞くことができるだけでなく、前記安全装置が警報音を発していない正常時においては低域通過フィルタ１１のフィルタ特性が第２の特性に設定されているため、挿入損失量制御部６における通話状態の推定精度が異常発生時に比べて正常時に向上するという利点がある。
【図面の簡単な説明】
【００３１】
【図１】実施形態１の要部構成を示すブロック図である。
【図２】同上における低域通過フィルタのフィルタ特性図である。
【図３】同上を含む住宅情報盤システムのシステム構成図である。
【図４】実施形態２の要部構成を示すブロック図である。
【図５】実施形態３の要部構成を示すブロック図である。
【図６】同上における低域通過フィルタのフィルタ特性図である。
【図７】同上の他の要部構成を示すブロック図である。
【符号の説明】
【００３２】
１  マイクロホン
２  スピーカ
３  伝送処理部
４  送話路損失挿入部
５  受話路損失挿入部
６  挿入損失量制御部
１１  低域通過フィルタ
【図１】
2006013617.tif 000003
【図２】
2006013617.tif 000004
【図３】
2006013617.tif 000005
【図４】
2006013617.tif 000006
【図５】
2006013617.tif 000007
【図６】
2006013617.tif 000008
【図７】
2006013617.tif 000009